(57)【特許請求の範囲】
【請求項１】
地中に埋設された複数本の点検口を有する縦管と、前記縦管の下端に設けられて前記複数本の縦管を連結して前記縦管と下水道管とを連通させる横管とからなる排水管のぬめり除去装置であって、前記縦管の点検口から縦管内に導入されて前記横管を閉塞する閉塞手段と、前記閉塞手段により前記横管が閉塞されたときに前記縦管から水が溢れるのを防止するオーバーフロー手段とを備えた排水管のぬめり除去装置であり、前記閉塞手段には前記横管の下流側の開口部を閉塞するパッキンが設けられるとともに、前記オーバーフロー手段には前記パッキンを貫通する貫通孔に連結されるオーバーフロー管が設けられており、前記閉塞手段の前記パッキンにより前記横管の下流側の開口部を閉塞したときに前記オーバーフロー管から導入された汚水を前記横管の下流側に排出し、前記縦管から水が溢れるのを防止し、前記縦管から供給したぬめり除去剤により縦管と横管とからなる排水管のぬめり除去したことを特徴とする排水管のぬめり除去装置。
【請求項２】
前記閉塞手段は、前記縦管内に脱着自在に取り付けられるものであって、前記縦管内に露出した横管の一方の開口部を閉塞するパッキンと、前記パッキンを前記横管の開口部の周縁に押圧する押圧手段とを備えている請求項１に記載の排水管のぬめり除去装置。
【請求項３】
前記押圧手段は、前記縦管の内面に保持される対となった保持手段と、前記保持手段間に配置されて前記保持手段の間隔を調整する調整手段と、前記調整手段を操作する操作手段とよりなり、前記保持手段の片側に設けられている請求項１又は請求項２に記載の排水管のぬめり除去装置。
【請求項４】
前記オーバーフロー手段は、前記パッキンを貫通する貫通孔に連結されるオーバーフロー管を少なくとも備えている請求項１乃至請求項３のいずれか１項に記載の排水管のぬめり除去装置。
【請求項５】
前記オーバーフロー管の水位を起点桝の所定位置に保持することができるように、オーバーフロー管は高さ調整可能となっている請求項１乃至請求項４のいずれか１項に記載の排水管のぬめり除去装置。
【請求項６】
前記オーバーフロー手段は、前記パッキンを貫通する貫通孔に連結されるオーバーフロー管を少なくとも備えているとともに、前記オーバーフロー管の水位を起点桝の所定位置に保持することができるように、オーバーフロー管は高さ調整可能となっている請求項１乃至請求項３のいずれか１項に記載の排水管のぬめり除去装置。
【発明の詳細な説明】
【技術分野】
【０００１】
本発明は、建物内に設けられた住設機器などからの排水を下水道管に排水する排水管のぬめり除去装置に関するものである。
【背景技術】
【０００２】
従来、建物内に設けられた住設機器などに連結され、地中に埋設される複数本の縦管と、前記縦管の下端に設けられて前記縦管を連結する横管とからなる排水管の内壁面には、下水道管に排水する排水中に含まれる有機廃棄物をはじめとする様々な汚れ物質が酸化によって付着し、特に、水が常に流れている排水管の管底部は乾燥することが少ないので、菌やカビ等の繁殖し易い状況にある。これら菌やカビ等の繁殖は、ぬめりを発生させ、悪臭の原因となり、これらをそのまま放置しておくと、排水管の内壁面に徐々に汚れが付着して、最終的には配管詰りを引き起こしてしまうという問題点があった。
【０００３】
上記問題点を解消するために、例えば、特許文献１に示すぬめりの除去剤及びぬめりの除去方法が提案されたが、このものは、住居内に露出した台所、浴室、洗面所の排水管の開口部の周囲などに適用されるものであり、住居内に露出した台所、浴室、洗面所の排水管のぬめりを除去することは可能ではあるが、建物内に設けられた住設機器などからの排水を下水道管に排水する排水管のぬめりを除去することができず、排水管の内壁面に徐々に汚れが付着して、最終的には配管詰りを引き起こしてしまうという問題点があった。
【先行技術文献】
【特許文献】
【０００４】
【特許文献１】特開２００９−２８７０２１号公報
【発明の概要】
【発明が解決しようとする課題】
【０００５】
本発明は、上記問題点を解決するためになされたものであり、建物内に設けられた住設機器などからの排水を下水道管に排水する排水管のぬめりを簡単に除去することができる排水管のぬめり除去装置を提供することにある。
【課題を解決するための手段】
【０００６】
上記課題を解決するために、本発明の排水管のぬめり除去装置は、地中に埋設された複数本の点検口を有する縦管と、前記縦管の下端に設けられて前記複数本の縦管を連結して前記縦管と下水道管とを連通させる横管とからなる排水管のぬめり除去装置であって、前記縦管の点検口から縦管内に導入されて前記横管を閉塞する閉塞手段と、前記閉塞手段により前記横管が閉塞されたときに前記縦管から水が溢れるのを防止するオーバーフロー手段とを備えた排水管のぬめり除去装置であり、前記閉塞手段には前記横管の下流側の開口部を閉塞するパッキンが設けられるとともに、前記オーバーフロー手段には前記パッキンを貫通する貫通孔に連結されるオーバーフロー管が設けられており、前記閉塞手段の前記パッキンにより前記横管の下流側の開口部を閉塞したときに前記オーバーフロー管から導入された汚水を前記横管の下流側に排出し、前記縦管から水が溢れるのを防止し、前記縦管から供給したぬめり除去剤により縦管と横管とからなる排水管のぬめり除去したことを特徴とする。
又、本発明にあっては、前記閉塞手段は、前記縦管内に脱着自在に取り付けられるものであって、前記縦管内に露出した横管の一方の開口部を閉塞するパッキンと、前記パッキンを前記横管の開口部の周縁に押圧する押圧手段とを備えていることが望ましい。
又、本発明にあっては、前記押圧手段は、前記縦管の内面に保持される対となった保持手段と、前記保持手段間に配置されて前記保持手段の間隔を調整する調整手段と、前記調整手段を操作する操作手段とよりなり、前記保持手段の片側に設けられていることが望ましい。
又、本発明にあっては、前記オーバーフロー手段は、前記パッキンを貫通する貫通孔に連結されるオーバーフロー管を少なくとも備えていることが望ましい。
又、本発明にあっては、前記オーバーフロー管の水位を起点桝の所定位置に保持することができるように、オーバーフロー管は高さ調整可能となっていることが望ましい。
又、本発明にあっては、前記オーバーフロー手段は、前記パッキンを貫通する貫通孔に連結されるオーバーフロー管を少なくとも備えているとともに、前記オーバーフロー管の水位を起点桝の所定位置に保持することができるように、オーバーフロー管は高さ調整可能となっていることが望ましい。
【発明の効果】
【０００７】
本発明に係る排水管のぬめり除去装置は、地中に埋設された複数本の点検口を有する縦管と、前記縦管の下端に設けられて前記複数本の縦管を連結して前記縦管と下水道管とを連通させる横管とからなる排水管のぬめり除去装置であって、前記縦管の点検口から縦管内に導入されて前記横管を閉塞する閉塞手段と、前記閉塞手段により前記横管が閉塞されたときに前記縦管から水が溢れるのを防止するオーバーフロー手段とを備えた排水管のぬめり除去装置であり、前記閉塞手段には前記横管の下流側の開口部を閉塞するパッキンが設けられるとともに、前記オーバーフロー手段には前記パッキンを貫通する貫通孔に連結されるオーバーフロー管が設けられており、前記閉塞手段の前記パッキンにより前記横管の下流側の開口部を閉塞したときに前記オーバーフロー管から導入された汚水を前記横管の下流側に排出し、前記縦管から水が溢れるのを防止し、前記縦管から供給したぬめり除去剤により縦管と横管とからなる排水管のぬめり除去したことを特徴とするものであるから、横管を閉塞手段で閉塞することにより、横管の端から端まで横管の管内全体に水を溜めることが可能となり、縦管から供給したぬめり除去剤により、建物内に設けられた住設機器に連結され、地中に埋設される複数本の縦管と、前記縦管の下端に設けられて前記縦管を連結する横管とからなり、ぬめり除去剤が混入された水に接触した排水管の内壁面のぬめりを除去することができるという効果があり、排水管の内壁面に汚れが付着することによる配管詰りを防止することができるという効果がある。
又、請求項２のように、前記閉塞手段は、前記縦管内に脱着自在に取り付けられるものであって、前記縦管内に露出した横管の一方の開口部を閉塞するパッキンと、前記パッキンを前記横管の開口部の周縁に押圧する押圧手段とを備えているものは、縦管の開口部から閉塞手段を縦管内に取付け、パッキンで横管の一方の開口部を閉塞するだけで横管を閉塞手段で閉塞することができ、縦管から供給したぬめり除去剤により排水管の内壁面のぬめりを除去することができるという効果がある。
又、請求項３のように、前記押圧手段は、前記縦管の内面に保持される対となった保持手段と、前記保持手段間に配置されて前記保持手段の間隔を調整する調整手段と、前記調整手段を操作する操作手段とよりなり、前記保持手段の片側に設けられているものは、操作手段を操作するだけで保持手段の間隔を調整することができ、押圧手段を縦管の内面に簡単に保持させることができるという効果がある。
又、請求項４のように、前記オーバーフロー手段は、前記パッキンを貫通する貫通孔に連結されるオーバーフロー管を少なくとも備えているものは、オーバーフロー管内に流入してきて所定高さよりも高い水位になったオーバーフロー水をスムーズに排水でき縦管から汚水が溢れることが無いという効果がある。
又、請求項５のように、前記オーバーフロー管の水位を起点桝の所定位置に保持することができるように、オーバーフロー管は高さ調整可能となっているものは、水位を起点桝の所定位置に保持することができ、水が常に流れている横管の管底部のぬめりも除去することができるという効果がある。
又、請求項６のように、前記オーバーフロー手段は、前記パッキンを貫通する貫通孔に連結されるオーバーフロー管を少なくとも備えているとともに、前記オーバーフロー管の水位を起点桝の所定位置に保持することができるように、オーバーフロー管は高さ調整可能となっているものは、オーバーフロー管内に流入してきて所定高さよりも高い水位になったオーバーフロー水をスムーズに排水でき縦管から汚水が溢れることが無いという効果と、水位を起点桝の所定位置に保持することができ、水が常に流れている横管の管底部のぬめりも除去することができるという効果がある。
【図面の簡単な説明】
【０００８】
【図１】排水管を地中に埋設した状態図
【図２】排水管の斜視図
【図３】本発明の排水管のぬめり除去装置の一実施例の正面図
【図４】同上の排水管のぬめり除去装置を排水管に取り付け前の正面図
【図５】同上の排水管のぬめり除去装置を排水管に取り付けた正面図
【図６】同上の排水管のぬめり除去装置を排水管に取り付けた斜視図
【図７】同上の排水管のぬめり除去装置を横管側から見た縦管を切欠した概略図
【図８】同上の排水管のぬめり除去装置に設ける報知手段の概略図
【図９】本発明の排水管のぬめり除去装置の他の実施例の断面図
【発明を実施するための形態】
【０００９】
以下、本発明の実施の形態を図１乃至図８に基づいて詳述すると、排水管のぬめり除去装置１は、地中に埋設された複数本の点検口２ａを有する縦管２と、縦管２の下端に設けられて複数本の縦管２を連結して縦管２と下水道管Ｇとを連通させる横管３とからなる排水管のぬめり除去装置であって、縦管２の点検口２ａから縦管２内に導入されて横管３を閉塞する閉塞手段４と、閉塞手段４により横管３が閉塞されたときに縦管２から水が溢れるのを防止するオーバーフロー手段５とを備えている。縦管２には、接続管Ｓを介して便器Ｂ、浴槽Ｙ、洗面化粧台、システムキッチンなどの住宅機器、洗濯機ＳＮなどの電気機器の排水孔が連結されており、合成樹脂材で構成されている。横管３は、合成樹脂材で構成されており、下水道管Ｇに連通している。浴槽Ｙ及び洗濯機ＳＮが取り付けられる接続管Ｓと縦管２との間には、掃除用の第２の縦管２Ｄが設けられており、縦管２及び第２の縦管２Ｄは屋外に設けられている。
【００１０】
閉塞手段４は、縦管２の点検孔２ａから挿入されて縦管２内に脱着自在に取り付けられるものであって、縦管２内に露出した横管３の一方の開口部３ａを閉塞するパッキン６と、パッキン６を開口部３ａの周縁に押圧する押圧手段７とを備えている。押圧手段７は、縦管２の内面に保持される対となった保持手段８と、保持手段８間に配置されて保持手段８の間隔を調整する調整手段９と、調整手段９を操作する操作手段１０とよりなりなっている。パッキン６は、長尺に形成された保持手段８の片側にねじ１１により取り付けられている。
【００１１】
オーバーフロー手段５は、パッキン６を貫通する貫通孔１２に連結されるオーバーフロー管１３を備えている。オーバーフロー管１３はラジオのアンテナのように高さ調整部１４が設けられて高さ調整可能となっており、オーバーフロー管１３から溢れる水の水位を起点桝２ｂの所定位置に保持することができるようになっている。高さ調整部１４は蛇腹であっても構わないものであり、縦管２の開口端から手を入れて高さ調整部１４の高さを変えることができるようにハンドル部１５が設けられている。
【００１２】
パッキン６は、横管３の開口部３ａを閉塞するようゴムのような軟質材で構成されており、外側の径が内側の径よりも大きくなるテーパー状に形成されており、開口部３ａに密着するようになっている。
【００１３】
保持手段８は、合成樹脂材で両端が円弧状になった長尺に形成されている。
【００１４】
調整手段９は、ジャッキであってねじ１６により連結材１７の連結部１８には保持手段８の裏面がそれぞれ対面するように取り付けられている。操作手段１０は、ジャッキの雄ネジ部１９が延出したものであり、縦管２の開口端から工具を挿入して保持手段８の間隔を調整することができるようになっており、図５に示すように、パッキン６で横管３の開口部３ａを閉塞することができる。
【００１５】
横管３は、排水のために所定角度傾斜させているが、起点桝２ｂは、最も高い位置に設けられた縦管２のことであり、図８に示すように、起点桝２ｂには、縦管２内の水位により上下動するフロート２０と、フロート２０に設けられた接触端子２１と、接触端子２１が接触するとオンされるスイッチ２２と、スイッチ２２がオンすると点灯するランプ２３と、スイッチ２２がオンすると音が鳴る報知手段２４とからなる水位センサー２５が設けられており、横管３内に水が満たされた状態をランプ２３と報知手段２４とで報知し、オーバーフロー管１３の高さ調整部１４の高さを水が溢れる高さに設定することで、ぬめり除去に最も適した水位に設定することが可能となる。起点桝２ｂの中に入った水量を離れた所からでは目視確認出来ないため、規定量まで水位が上がれば音と光で解るようにし、横管３内が満水状態に成った水位確認が出来るようにした事で放流ポイント(オーバーフロー位置)を決められることができる。悪臭気や汚れを気にする事無く、離れた所からでも水位確認が出来るので、一人でも十分に管路管内貯留保水放置洗浄清掃作業が行える。
【００１６】
図９は、排水管のぬめり除去装置１０１の他の実施例を示すものであり、地中に埋設された複数本の縦管１０２と、縦管１０２の下端に設けられて複数本の縦管１０２を連結して縦管１０２と下水管とを連通させる横管１０３と、縦管１０２の点検口１０２ａから縦管１０２内に導入されて横管１０３を閉塞する閉塞手段１０４と、閉塞手段１０４により横管１０３が閉塞されたときに縦管１０２から水が溢れるのを防止するオーバーフロー手段１０５とを備えている。閉塞手段１０４は、一対の空気袋であり、ポンプＰから供給される空気により膨張して縦管１０２の内面を押圧する第１の空気袋１０４ａと横管１０３の内面を押圧する第２の空気袋１０４ｂと、第１の空気袋１０４ａ及び第２の空気袋１０４ｂを取付けられるとともに、縦管１０２の内面に保持される本体部１０５とで構成されている。
【００１７】
ぬめり除去剤Ｎとして、自然界に生息する光合成細菌や乳酸菌・酵母を中心とする、有用な微生物の共生的複合体である有用微生物群(Ｅffective  Ｍicroorganisms)を用いた。有用微生物群ＥＭは，石油を分解する能力もあり、腐敗ぬめり処理や悪玉菌・カビ等の殺菌繁殖阻止成果があげているもので、本発明の排水管のぬめり除去装置に使用することで排水管のぬめりを効率よく除去することが可能となる。
【００１８】
また、有用微生物群(ＥＭ)は光合成細菌や乳酸菌、酵母を中心とする有用な微生物の共生的複合体である。その微生物群の中には、酸化作用によって出来た悪臭腐敗汚水を好んで分解し綺麗にする微生物菌である。
【００１９】
本発明は、手間の掛かる排水管内の清掃作業の頻度を低減させる手段として、環境にやさしい自然界に生息する有用微生物群発酵水溶液を排水に溶かし混ぜ込んで、桝や管路内を満水状態浸しこんで６時間以上貯留保水させ処理することで、ぬめりを除去できた。お風呂の残り湯に有用微生物群発酵水溶液を投与し管洗浄液となる有用微生物群を培養増殖させ流す事で、排水管内全体に排水湯を注入することができ、人間が作り出した薬品で無く自然界に生息する有用微生物群を用いて洗浄処理する事が、最も環境に優しい洗浄清掃工法である。
【００２０】
また該工法は、従来に無い工法で今迄のように高圧洗浄機で管内汚れを水圧による剥離洗浄処理清掃だったりブラシを使っての洗浄であったが、該工法は汚れた管路管内全体に数十種類の有用微生物群(光合成細菌や乳酸菌・酵母を中心とする数多くの有用微生物の共生的複合体)を混合させた培養水液を流入貯留保水放置清掃工法で従来には全く無かった工法である。その為に排水管のぬめり除去装置を考案した。其の事で下水道本管迄ごみを流さない効果が得られた事と共に、管内管路全体をきれいに衛生的で簡単にする洗浄清掃工法と排水管のぬめり除去装置である。
【００２１】
上記該生活排水管路の清掃は、手間暇が掛かり汚れ悪臭のなかでの洗浄清掃作業なので大変であった。環境に優しく手間の掛からない衛生的な工法で、悪臭や汚れも気にせず管路管内全体洗浄清掃するのが本発明の解決しようとする課題である。近年、技術躍進また生活水準の向上に寄り進歩を遂げてきたが、排水管路管内清掃が従来からの工法で無く、いとも簡単に衛生的な管路管内洗浄清掃が出来るようにするのが、本発明が解決しようとする課題である。生活排水管内の清掃は汚水が流れる下部分流水路だけで無く、管内上部壁面に付着している雑菌やカビ等も綺麗に除去清掃しなければならない課題がある。地下のライフラインである下水道において、宅地内起点排水桝から公道下水道本管迄の配管状況が、気密性の高い水漏れする事の無い管路線内に凝固付着した汚れを衛生的な方法で排除することが目的である。
【００２２】
該発明は、人間が一日２４時間生活してゆく上において安息時間に行うことが可能な工法で、桝管路管内に有用微生物群水溶液を流し込み満水状態にして６時間から８時間(長い方が良い)貯留保水させた後に下流への放水処理する排水管洗浄清掃工法である。
【００２３】
次に、本発明を実施するための形態を、実施例を用いて説明する。一日の生活を終え休息する前に、お風呂の残り湯に有用微生物群溶液を入れ培養液を作り、排水管路に流し込んで満水状態にして作業を終了したが、翌朝排水桝から水が溢れているのを確認し調べたところ、オートタイマー始動の自動洗濯機が回っていた事が原因であった。桝の蓋が開いていたから良かったが、密封状態であれば床下は、水浸し状態になっていた事は間違いない。其の事からよく解るように止水栓使用の貯留保水ではなく、貯留保水の水位維持が出来るようにした。
【００２４】
また、長年のプール維持管理に措いてオフシーズンは水を張ったままにしてあったが毎年プール開き前の清掃において、タイルにアオコがびっしりとへばり付き繁殖していた。
そうした中に、有用微生物群水溶液を投与した翌年から、アオコの発生が無くなった。
【００２５】
水系汚染の７５％が、生活系排水からだと言われている。主成分は分解する前の有機物とそれに含まれる窒素とリンである。一見きれいに見える下水道や浄化槽等の汚水処理施設における放流水も、自然の浄化作用が疲弊しているいま、汚濁進行を部分的に止める事は出来ても、生態系の回復までには及ばないのが現状である。しかも、環境ホルモンといった新しい汚染物質が出現している。このような末期的状況に終止符を打つためには、できるだけ早い時期に短サイクルで生態系を回復させ、自然のもつ本来の自浄作用を取り戻す事が必要である。それには浄化能力(分解と合成)と環境適応性に優れた有用微生物群を活用する事が絶対に必要であり、その微生物群を使う生かした今迄に無かった貯留保水放置洗浄清掃工法が管内全体をすべてきれいにする一番大切な工法である事を確信する。
【００２６】
また有用微生物群内に集められた複合菌で、乳酸菌や酵母は嫌気になると発酵作用を行い、管路管内のぬめりまたヘドロ(有機物)の可溶化(消化)を進める。その為、悪臭もださない汚水洗浄清掃として、本当に清潔で衛生的な貯留保水放置洗浄清掃工法である。
【００２７】
また、この可溶化された物質は発酵過程のなかで合成の逆の順序で低分子化され、生成した炭酸ガス、水などと共に分子レベルで自然界に戻される為、貯留保水放置洗浄清掃工法を考案発明したことでゴミ処理が要らない工法である。
【００２８】
また、下記の図表は今回発明した装置の実施データーでは無く、従来からのやりかたで管口から有用微生物群を流した実施データーである。
【符号の説明】
【００２９】
１  排水管のぬめり除去装置
２  縦管
３  横管
４  閉塞手段
５オーバーフロー手段
【要約】      （修正有）【課題】住居内に露出した台所、浴室、洗面所の排水管の開口部の周囲などの排水管のぬめりは、排水管の内壁面に徐々に汚れが付着して、最終的には配管詰りを引き起こしてしまう。配管内のぬめりを除去する方法を提供する。【解決手段】地中に埋設された複数本の縦管の点検口から縦管内に導入されて横管を閉塞する閉塞手段と、前記閉塞手段により前記横管が閉塞されたときに前記縦管から水が溢れるのを防止するオーバーフロー手段とを備え、有用微生物を用いてぬめりを除去する。【選択図】図５【図１】
0005860179.tif 000002
【図２】
0005860179.tif 000003
【図３】
0005860179.tif 000004
【図４】
0005860179.tif 000005
【図５】
0005860179.tif 000006
【図６】
0005860179.tif 000007
【図７】
0005860179.tif 000008
【図８】
0005860179.tif 000009
【図９】
0005860179.tif 000010